(57)【要約】第１本体構造（１）、第２本体構造（２）、ハンドル（３）、ラチェット爪（４）、第１ピン軸（５）、第２ピン軸（６）、第１連結ロッド（７）、第２連結ロッド（８）、第１制限ナット（９）、第２制限ナット（１０）、第１予圧縮バネ（１１）、第２予圧縮バネ（１２）、支持バネ（１３）、第１小ピン軸（１５）、第２小ピン軸（１４）、第３ピン軸（１８）、第４ピン軸（１６）、第５ピン軸（１７）を備える手動工具としての二段プライヤー、特に二段で自動切り換えが可能で、大きなショー開口幅と高挟持力を有する多機能プライヤーレンチである。該二段プライヤーは、従来の手動工具の種類が大きく、携帯しにくく、効率が低いという問題を解決する。
2019501032.tif 000002
【特許請求の範囲】
【請求項１】
本体構造（１）、本体構造（２）及びハンドル（３）を備える二段プライヤーであって、
前記本体構造（１）は、上部は多機能ジョーで、中央部にピン軸（５）及びピン軸（６）が取り付けられ、ピン軸（５、６）は軸方向の中央部に径向貫通孔が開けられ、連結ロッド（７）、（８）は貫通孔において移動可能であり、ピン軸（５、６）は回転可能であるが、軸方向移動ができず、本体構造（１）の末端にバネ（１３）が接続され、バネ（１３）の他端は本体構造（２）に接続され、本体構造（１）の末端部にピン軸（１８）を取り付ける孔が開けられ、ピン軸（１８）は２つの本体構造（１、２）にヒンジ接続されることを特徴とする二段プライヤー。
【請求項２】
本体構造（２）は、上部が多機能ジョーで、中央部の突出部位の下端面に基準円の円心がピン軸（１８）の円心であるラチェットが設置され、本体構造（２）の末端は、中空構造としてキャビティに実用的な小型部品を装着可能なハンドルである請求項１に記載の二段プライヤー。
【請求項３】
ハンドル（３）の上部はピン軸（１６）によって本体構造（１）にヒンジ接続され、隣接部がピン軸（１７）によってラチェット爪（４）にヒンジ接続され、僅か下部が小ピン軸（１５）によって連結ロッド（８）に接続され、ハンドル（３）は、中空構造としてキャビティに必要に応じて実用的な小型部品を装着可能である請求項１に記載の二段プライヤー。
【請求項４】
ラチェット爪（４）は小ピン軸（１４）によって連結ロッド（７）に接続され、連結ロッド（７）は予圧縮バネ（１１）を支持し、バネ（１１）の他端はピン軸（５）に押し付けられ、連結ロッド（７）の端部に制限ナット（９）が設置される請求項１に記載の二段プライヤー。
【請求項５】
連結ロッド（８）は予圧縮バネ（１２）を支持し、バネ（１２）の他端はピン軸（６）に押し付けられ、連結ロッド（８）の端部に制限ナット（１０）が設置される請求項１に記載の二段プライヤー。
【発明の詳細な説明】
【技術分野】
【０００１】
本発明は手動工具であるプライヤー、特に二段で自動切り換えが可能で、大きなショー開口幅と高挟持力を有する多機能プライヤーレンチに関し、説明の便宜上、二段プライヤーと略称する。
【背景技術】
【０００２】
日常生活、仕事の場面において、多数の手動工具が使用されている。従来の手動工具は、一般的に、普通機能が単一で、又は性能が不十分である。たとえば、万力は、開口が小さくて、挟持力が小さく、使用範囲が制限されている。また、たとえば、オープンエンドアジャスタブルレンチは、ナットを緩むことにしか適用できず、プライヤーとして利用できない。いわゆる多機能工具は、単一機能工具を単に組み合わせるものに過ぎず、使用効果が好ましくない。
【０００３】
要するに、従来の手動工具、特に通常使用されている小体積の片手操作型プライヤーのようなものは、機能が単一で、性能が不十分であり、改良の余裕がある。
【発明の概要】
【発明が解決しようとする課題】
【０００４】
本発明の目的は、多機能で且つ一部の性能に優れた手動工具としてのプライヤーを提供し、従来の手動工具の種類が大きく、携帯しにくく、効率が低いという問題を解決することである。このため、本発明は以下の技術案を採用する。
【課題を解決するための手段】
【０００５】
１、本体構造（１）、本体構造（２）及びハンドル（３）を備える二段プライヤーであって、
前記本体構造（１）は、上部が多機能ジョーで、中央部にピン軸（５）及びピン軸（６）が取り付けられ、ピン軸（５、６）は軸方向の中央部に径向貫通孔が開けられ、連結ロッド（７）、（８）は貫通孔において移動可能であり、ピン軸（５、６）は回転可能であるが、軸方向移動ができず、本体構造（１）の末端にバネ（１３）が接続され、バネ（１３）の他端は本体構造（２）に接続され、本体構造（１）の末端部にピン軸（１８）を取り付ける孔が開けられ、ピン軸（１８）は２つの本体構造（１、２）にヒンジ接続されることを特徴とする。
【０００６】
２、本体構造（２）は、上部が多機能ジョーで、中央部の突出部位の下端面に基準円の円心がピン軸（１８）の円心であるラチェットが設置され、本体構造（２）の末端は、中空構造としてキャビティに実用的な小型部品を装着可能なハンドルである。
【０００７】
３、ハンドル（３）の上部はピン軸（１６）によって本体構造（１）にヒンジ接続され、隣接部がピン軸（１７）によってラチェット爪（４）にヒンジ接続され、僅か下部が小ピン軸（１５）によって連結ロッド（８）に接続され、ハンドル（３）は、中空構造として、キャビティに必要に応じて実用的な小型部品を装着可能である。
【０００８】
４、ラチェット爪（４）は小ピン軸（１４）によって連結ロッド（７）に接続され、連結ロッド（７）は予圧縮バネ（１１）を支持し、バネ（１１）の他端はピン軸（５）に押し付けられ、連結ロッド（７）の端部に制限ナット（９）が設置される。
【０００９】
５、連結ロッド（８）は予圧縮バネ（１２）を支持し、バネ（１２）の他端はピン軸（６）に押し付けられ、連結ロッド（８）の端部に制限ナット（１０）が設置される。
【図面の簡単な説明】
【００１０】
以下の詳細な説明によって、図面を参照しながら本発明を完全に把握でき、以下の図面は解釈と理解のために過ぎず、本発明を限定するものではない。
【図１】第１段階状態での本発明の二段プライヤーの模式図である。
【図２】第２段階状態での二段プライヤーの模式図である。
【図３】主要部品（１、２、３、４、５、６）の正面模式図と側面模式図であり、部品の正面模式図と側面模式図は隣接するように並列されており、部品（５、６）の図はピン軸（５、６）が回転可能であり、ピン軸を側面から観察するときに中央部の貫通孔が見られる場合を示す。
【図４】プライヤーの閉開状態での外観模式図であり、図中、３つの主要部品だけが含まれている。
【発明を実施するための形態】
【００１１】
以下、明細書の図面を参照しながら本発明についてさらに説明する。
【００１２】
１、本体構造（１）、本体構造（２）及びハンドル（３）を備える二段プライヤーであって、
前記本体構造（１）は、上部が多機能ジョーで、中央部にピン軸（５）及びピン軸（６）が取り付けられ、ピン軸（５、６）は軸方向の中央部に径向貫通孔が開けられ、連結ロッド（７）、（８）は貫通孔において移動可能であり、ピン軸（５、６）は回転可能であるが、軸方向移動ができず、本体構造（１）の末端にバネ（１３）が接続され、バネ（１３）の他端は本体構造（２）に接続され、本体構造（１）の末端部にピン軸（１８）を取り付ける孔が開けられ、ピン軸（１８）は２つの本体構造（１、２）にヒンジ接続される。
【００１３】
２、本体構造（２）は、上部が多機能ジョーで、中央部の突出部位の下端面に基準円の円心がピン軸（１８）の円心であるラチェットが設置され、本体構造（２）の末端は、中空構造としてキャビティに実用的な小型部品を装着可能なハンドルである。
【００１４】
３、ハンドル（３）の上部はピン軸（１６）によって本体構造（１）にヒンジ接続され、隣接部がピン軸（１７）によってラチェット爪（４）にヒンジ接続され、僅か下部が小ピン軸（１５）によって連結ロッド（８）に接続され、ハンドル（３）は、中空構造として、キャビティに必要に応じて実用的な小型部品を装着可能である。
【００１５】
４、ラチェット爪（４）は小ピン軸（１４）によって連結ロッド（７）に接続され、連結ロッド（７）は予圧縮バネ（１１）を支持し、バネ（１１）の他端はピン軸（５）に押し付けられ、連結ロッド（７）の端部に制限ナット（９）が設置される。
【００１６】
５、連結ロッド（８）は予圧縮バネ（１２）を支持し、バネ（１２）の他端はピン軸（６）に押し付けられ、連結ロッド（８）の端部に制限ナット（１０）が設置される。
【００１７】
プライヤーでワークを挟持又は切断するとき、まず、ハンドル（２、３）を操作して、ワークを入れるように、ジョーをワークより大きい寸法になるまで開口して、予圧縮バネ（１３）はジョーの開口に寄与する。ワークを入れると、ハンドル（２、３）を操作してジョーを閉じ、本体構造（１）とハンドル（３）はピン軸（１６）によって一方の部位で接続され、小ピン軸（１５）、連結ロッド（８）、予圧縮バネ（１２）、ピン軸（６）によって他方の部位で接続されることで、本体構造（１）とハンドル（３）は連動体となり、ハンドル（３）が運動すると、予圧縮バネ（１２）の付勢力で本体構造（１）を駆動して運動させ、さらにジョーを閉じてワーク（１９）と接触させ、ジョーがワークに接触する前、ショーを閉じるのに必要な駆動力が極めて小さいから、予圧縮バネ（１２）による予圧縮力が十分であるため、バネ（１２）に対するさらなる圧縮が発生することがなく、本体構造（１）とハンドル（３）の間の相対運動もなく、バネによる力だけでジョーを閉じ、この段階は本発明の名称に言われる段階の１つであり、第１段階と呼ばれる。本体構造（１）の長さと本体構造（２）のハンドル部分の長さとの比が１より大きい場合があるため、図から明らかなように、ジョーは第１段階で迅速に閉じることができる。
【００１８】
ジョーがワークに接触するまで閉じられると、ワークはジョーを閉じることに対して邪魔となり、このとき、操作者は力をかけて本体構造（２）とハンドル（３）を閉じ続けることで、ハンドル（３）は支点ピン軸（１６）を巡って回転し、ラチェット爪（４）は連動されて、予圧縮バネ（１１）の作用下で、本体構造（２）と噛み合い、噛み合いが終了した後、ハンドル（３）は運動し続けて、ラチェット爪（４）を駆動し、さらに本体構造（２）と本体構造（１）の相対運動を駆動して、ジョーを閉じて、ワーク（１９）をしっかりと挟持する。この段階は本発明の名称に言われる段階の１つであり、第２段階と呼ばれる。ピン軸（１６、１７）の間の距離が小さいため、図から明らかなように、ラチェット爪、ジョーの運動線速度がハンドル（３）の下端部の線速度に比べて極めて低く、言い換えれば、ジョーは高挟持力を有する。
【００１９】
プライヤーの第２段階ではジョーのストロークエンドが小さく、ソフトなワークを挟持するか、又は太い線状物を切断する場合、ハンドルを十分に閉じても、ジョーは所望したストロークエンドを実現できないと、手で２つのプライヤーの頭部を把持してジョーの開口を阻止し、次にハンドルを放し、ハンドルが開かれると、ハンドルを閉じる操作を繰り返し、このように、ジョーが所望したストロークエンドになるまで繰り返す。
【００２０】
挟持又は切断が終了した後、ハンドルを放し、プライヤーの主な運動部品は逆に運動して、つまり、まず第２段階、次に第１段階を経て、運動過程についての詳細な説明を省略する。制限ナット（９、１０）は嵌め合いの隙間を調整して、プライヤーの正常な動作を保持するとともに、操作感を与える。第１段階では、ナット（９）は密着してピン軸（５）に当接されて、ラチェット爪と本体構造（２）の接触を防止する。
【００２１】
本発明では、多段方式を活用して、片手で操作する場合においても、ジョーの大きな開度、及び大きな挟持力を付与できる。このため、レンチとして使用してもよく、バイスプライヤー、万力、くるみ割り器、パイプレンチ、ポンププライヤー、釘抜等として使用してもよい。モンキーレンチとして使用される場合、ウオーム歯車を調整しなくても、ナットと迅速に密着して、効率よく作動できる。ナットを緩むとき、工夫して開閉のリズムを把握できれば、ラチェットレンチの機能を発揮できる。きつくて簡単に緩めないナットの場合、ジョーは、ナットのエッジでの角度による影響を受けず、任意の位置でナットを締め付けることができ、このように、回転空間が制限される場合にも使用でき、且つ作業効率を向上させる。
【００２２】
本発明に図示したプライヤーの構造については、本発明の基本原理を逸脱することなく、ほかの構造形態を採用してもよい。
【図１】
2019501032.tif 000003
【図２】
2019501032.tif 000004
【図３】
2019501032.tif 000005
【図４】
2019501032.tif 000006
【国際調査報告】
2019501032.tif 000007
2019501032.tif 000008
2019501032.tif 000009
2019501032.tif 000010
2019501032.tif 000011